(57)【要約】【課題】作業時以外の状況での防護管の取り扱いの容易化、および、作業時における防護管の取り扱いの容易化、の両立を図ること。【解決手段】可撓性のシート状部材によって形成され、長さ方向の一端に開口を備え他端に底を備えた有底の筒形状をなし、外周面に、一端が開口に連続し当該筒形状における軸心方向を長手方向とするスリット１１５と、当該スリット１１５を開放可能に閉塞するファスナー１１６と、が設けられた本体部１１０と、ファスナー１１６によるスリット１１５の閉塞と開放に連動して、本体部１１０の開口１１１を当該開口１１１が環形状をなす一定形状に保持する閉状態と当該開口１１１を開放した状態で保持する開状態とに変形可能な開口保持部１２０と、開口保持部１２０を閉状態で固定する固定部１３０と、を備えた長尺物収容袋１００を構成した。【選択図】図５Ｃ
2019172407.tif 000002
【特許請求の範囲】
【請求項１】
可撓性のシート状部材によって形成され、長さ方向の一端に開口を備え他端に底を備えた有底の筒形状をなし、外周面に、一端が開口に連続し当該筒形状における軸心方向を長手方向とするスリットと、当該スリットを開放可能に閉塞するファスナーと、が設けられた本体部と、
前記ファスナーによる前記スリットの閉塞と開放に連動して、前記本体部の開口を当該開口が環形状をなす一定形状に保持する閉状態と当該開口を開放した状態で保持する開状態とに変形可能な開口保持部と、
前記開口保持部を閉状態で固定する固定部と、
を備えたことを特徴とする長尺物収容袋。
【請求項２】
前記本体部と前記開口保持部とは分離可能に連結されていることを特徴とする請求項１に記載の長尺物収容袋。
【請求項３】
前記本体部は、
前記底および軸心方向において当該底から所定範囲を一定形状に保持する補強部材を備え、
当該補強部材が設けられた底部と、前記可撓性のシート状部材によって形成された筒形状をなす筒状部とは、分離可能に連結されており、
前記スリットは、前記筒状部の外周面において軸心方向の両端に連続することを特徴とする請求項２に記載の長尺物収容袋。
【請求項４】
可撓性のシート状部材によって形成され、外周面に軸心方向の両端に連続するスリットを備えた筒形状をなす本体部と、
前記本体部に設けられて前記スリットを開放可能に閉塞するファスナーと、
環形状または筒形状をなし、前記本体部における軸心方向の一端に取り外し可能に連結される開口保持部と、
長さ方向の一端に開口を備え他端に底を備えた有底の筒形状をなし、前記本体部における軸心方向の他端に取り外し可能に連結される底部と、
を備えたことを特徴とする長尺物収容袋。
【請求項５】
前記ファスナーは、前記スリットを間にして対向配置されて互いに噛み合う複数のエレメントと、前記開口から前記底側へスライドすることにより前記エレメントの噛み合わせを解除して前記スリットを開放するスライダーと、を備えた線ファスナーであることを特徴とする請求項１〜４のいずれか一つに記載の長尺物収容袋。
【請求項６】
前記ファスナーは、前記スリットを間にして対向配置されて互いに噛み合う複数のエレメントと、前記底から前記開口側へスライドすることにより前記エレメントの噛み合わせを解除して前記スリットを開放するスライダーと、を備えた線ファスナーであることを特徴とする請求項１〜４のいずれか一つに記載の長尺物収容袋。
【請求項７】
前記ファスナーは、点ファスナーであることを特徴とする請求項１〜４のいずれか一つに記載の長尺物収容袋。
【発明の詳細な説明】
【技術分野】
【０００１】
この発明は、防護管などの長尺物を収容する長尺物収容袋に関する。
【背景技術】
【０００２】
配電線付近でレッカー作業をおこなう際の停電や感電災害、樹木が配電線と接触することで発生する火災や停電などを防止するための対策の一つとして、配電線に防護管を取り付ける作業をおこなっている。防護管の取り付け作業に際しては、一つの作業現場において複数本の防護管を取り付けることが多い。
【０００３】
このような防護管の取り付け作業に際しては、まず、複数本の防護管を防護管袋に入れて作業現場まで運搬する。そして、作業現場において、複数本の防護管が入った防護管袋を、防護管の取り付け対象箇所の近傍に吊し、当該防護管袋から防護管を１本ずつ取り出して取り付ける。従来の防護管袋は、たとえば、長さ方向の一端に開口を備えた、有底の筒形状をなし、帆布などによって形成されていた。
【０００４】
関連する技術として、具体的には、従来、たとえば、有底筒状の収容袋本体の側面の一部に、開閉自在に設けられた封止扉を備えた防護管用収容袋に関する技術（たとえば、下記特許文献１を参照。）や、長尺物品の上部を保持する上部袋と、長尺物品の下部を保持する下部袋と、上部袋と下部袋との間の空間を繋ぐ繋ぎ部材と、を備えた長尺物品吊上袋に関する技術（たとえば、下記特許文献２を参照。）があった。
【０００５】
また、具体的には、従来、たとえば、スキー板中央部を被嵌する中央部被嵌袋と、スキー板前側部を被嵌する前側部被嵌袋と、スキー板後側部に被嵌する後側部被嵌袋と、を備え、中央部被嵌袋と前側部被嵌袋と後側部被嵌袋とでスキー板の全部を隠蔽し得るように構成したスキーケースに関する技術があった（たとえば、下記特許文献３を参照。）。
【先行技術文献】
【特許文献】
【０００６】
【特許文献１】特開２０１２−２０１４６９号公報
【特許文献２】特許第５１００２８９号公報
【特許文献３】特開平７−２９９１８３号公報
【発明の概要】
【発明が解決しようとする課題】
【０００７】
しかしながら、上述した特許文献１を含む従来の技術は、複数本の防護管を防護管袋に入れる作業が煩雑であるという問題があった。具体的には、帆布などによって形成された従来の防護管袋は筒形状を一定に維持することができず、地面などに置いた状態では形が潰れてしまうため、作業者１人では数メートルの長さがある防護管を開口から挿入することが難しく、作業をスムーズに進めることができない。このため、防護管を入れる作業者の他に、防護管が入れやすくなるように防護管袋を支える作業者が必要になってしまう。
【０００８】
また、数メートルの長さがある防護管は持ち上げるとしなるので、作業の効率化を図るため複数本の防護管をまとめて防護管袋に入れる際に、防護管を防護管袋に入れている途中で、防護管の先端が防護管袋に引っかかることがあり、この場合、防護管を持っている作業者は、別の作業者が引っかかりを解消するために複数本の防護管を持ったまま待機しなくてはならず、作業者の負担が大きくなってしまう。
【０００９】
上述した特許文献２に記載された従来の技術は、側面が大きく解放されているため、防護管の出し入れはしやすいものの、運搬時などに解放された隙間から防護管が出てきてしまうことが想定され、作業時以外の状況での取り扱いが煩わしい。
【００１０】
また、上述した特許文献３に記載された従来の技術は、中央部被嵌袋の両端に前側部被嵌袋および後側部被嵌袋を嵌め込むことによってスキーケースを構成しており、防護管を収納した状態で吊り下げることができない。このため、特許文献３に記載された従来の技術を利用する場合、作業現場において、防護管を収納した状態で吊り下げることができる防護管袋に入れ替えなければならず煩わしい。
【００１１】
このように、従来の技術は、防護管袋に防護管を入れる際や運搬時など作業時以外の状況での取り扱いの容易化、および、作業時における取り扱いの容易化、の両立を図ることが難しいという問題があった。
【００１２】
この発明は、上述した従来技術による問題点を解消するため、作業時以外の状況での防護管の取り扱いの容易化、および、作業時における防護管の取り扱いの容易化、の両立を図ることができる長尺物収容袋を提供することを目的とする。
【課題を解決するための手段】
【００１３】
上述した課題を解決し、目的を達成するため、この発明にかかる長尺物収容袋は、可撓性のシート状部材によって形成され、長さ方向の一端に開口を備え他端に底を備えた有底の筒形状をなし、外周面に、一端が開口に連続し当該筒形状における軸心方向を長手方向とするスリットと、当該スリットを開放可能に閉塞するファスナーと、が設けられた本体部と、前記ファスナーによる前記スリットの閉塞と開放に連動して、前記本体部の開口を当該開口が環形状をなす一定形状に保持する閉状態と当該開口を開放した状態で保持する開状態とに変形可能な開口保持部と、前記開口保持部を閉状態で固定する固定部と、を備えたことを特徴とする。
【００１４】
また、この発明にかかる長尺物収容袋は、上記の発明において、前記本体部と前記開口保持部とが分離可能に連結されていることを特徴とする。
【００１５】
また、この発明にかかる長尺物収容袋は、上記の発明において、前記本体部が、前記底および軸心方向において当該底から所定範囲を一定形状に保持する補強部材を備え、当該補強部材が設けられた底部と、前記可撓性のシート状部材によって形成された筒形状をなす筒状部とが、分離可能に連結されており、前記スリットが、前記筒状部の外周面において軸心方向の両端に連続することを特徴とする。
【００１６】
また、この発明にかかる長尺物収容袋は、可撓性のシート状部材によって形成され、外周面に軸心方向の両端に連続するスリットを備えた筒形状をなす本体部と、前記本体部に設けられて前記スリットを開放可能に閉塞するファスナーと、環形状または筒形状をなし、前記本体部における軸心方向の一端に取り外し可能に連結される開口保持部と、長さ方向の一端に開口を備え他端に底を備えた有底の筒形状をなし、前記本体部における軸心方向の他端に取り外し可能に連結される底部と、を備えたことを特徴とする。
【００１７】
また、この発明にかかる長尺物収容袋は、上記の発明において、前記ファスナーが、前記スリットを間にして対向配置されて互いに噛み合う複数のエレメントと、前記開口から前記底側へスライドすることにより前記エレメントの噛み合わせを解除して前記スリットを開放するスライダーと、を備えた線ファスナーであることを特徴とする。
【００１８】
また、この発明にかかる長尺物収容袋は、上記の発明において、前記ファスナーが、前記スリットを間にして対向配置されて互いに噛み合う複数のエレメントと、前記底から前記開口側へスライドすることにより前記エレメントの噛み合わせを解除して前記スリットを開放するスライダーと、を備えた線ファスナーであることを特徴とする。
【００１９】
また、この発明にかかる長尺物収容袋は、上記の発明において、前記ファスナーが、点ファスナーであることを特徴とする。
【発明の効果】
【００２０】
この発明にかかる長尺物収容袋によれば、作業時以外の状況での防護管の取り扱いの容易化、および、作業時における防護管の取り扱いの容易化、の両立を図ることができるという効果を奏する。
【図面の簡単な説明】
【００２１】
【図１】この発明にかかる実施の形態１の長尺物収容袋の構成を示す説明図である。
【図２Ａ】この発明にかかる実施の形態１の長尺物収容袋の開口保持部の構造を示す説明図（その１）である。
【図２Ｂ】この発明にかかる実施の形態１の長尺物収容袋の開口保持部の構造を示す説明図（その２）である。
【図３Ａ】固定部の構造を示す説明図（その１）である。
【図３Ｂ】固定部の構造を示す説明図（その２）である。
【図４Ａ】本体部に取り付けられた状態の固定部を示す説明図（その１）である。
【図４Ｂ】本体部に取り付けられた状態の固定部を示す説明図（その２）である。
【図５Ａ】この発明にかかる実施の形態１の長尺物収容袋の使用例の一例を示す説明図（その１）である。
【図５Ｂ】この発明にかかる実施の形態１の長尺物収容袋の使用例の一例を示す説明図（その２）である。
【図５Ｃ】この発明にかかる実施の形態１の長尺物収容袋の使用例の一例を示す説明図（その３）である。
【図６Ａ】この発明にかかる実施の形態２の長尺物収容袋の構成を示す説明図（その１）である。
【図６Ｂ】この発明にかかる実施の形態２の長尺物収容袋の構成を示す説明図（その２）である。
【図７】この発明にかかる実施の形態２の長尺物収容袋の一部を、一部を透過して示す説明図である。
【図８】この発明にかかる実施の形態３の長尺物収容袋の構成を示す説明図（その１）である。
【図９】この発明にかかる実施の形態３の長尺物収容袋の構成を示す説明図（その２）である。
【図１０】本体部のスリットを全開した状態の長尺物収容袋を示す説明図である。
【発明を実施するための形態】
【００２２】
以下に添付図面を参照して、この発明にかかる長尺物収容袋の好適な実施の形態を詳細に説明する。
【００２３】
＜実施の形態１＞
（長尺物収容袋の構成）
まず、この発明にかかる実施の形態１の長尺物収容袋の構成について説明する。図１は、この発明にかかる実施の形態１の長尺物収容袋の構成を示す説明図である。図１に示すように、この発明にかかる実施の形態１の長尺物収容袋１００は、本体部１１０と、開口保持部１２０と、固定部１３０と、を備えている。
【００２４】
本体部１１０は、長さ方向の一端に開口１１１を備え、他端に底１１２を備えた有底の筒形状をなす。本体部１１０は、可撓性のシート状部材によって形成されている。本体部１１０は、具体的には、たとえば、綿・麻・亜麻などによって形成された帆布や、ポリビニルアルコール（ＰＶＣ）をアセタール化して得られる合成繊維であるビニロン（ｖｉｎｙｌｏｎ）の繊維を基布としたＰＶＣ樹脂帆布などによって形成することができる。
【００２５】
本体部１１０において、開口端（開口１１１側の端部）および軸心方向において開口端から所定範囲には、補強材１１３が設けられている。また、本体部１１０において、底および軸心方向において当該底から所定範囲には、補強材１１４が設けられている。補強材１１３、１１４は、たとえば、ＰＶＣやポリウレタンなどの樹脂製のシートによって実現することができる。
【００２６】
補強材１１３、１１４は、ＰＶＣやポリウレタンなどの樹脂製のシートのみによって形成されていてもよく、開口端および開口端から所定範囲、および、底１１２および軸心方向において当該底から所定範囲における帆布などにＰＶＣやポリウレタンなどの樹脂を塗布することによって設けられたものであってもよい。防護管（図５Ｃを参照）の出し入れに際して防護管と擦れる開口端の周辺や、防護管の重量を支える底の周辺を補強材１１３、１１４によって補強することにより、長尺物収容袋１００の耐久性向上を図ることができる。
【００２７】
本体部１１０は、長尺物収容袋１００を吊り下げるためのＤ環１１０ａを備えている。Ｄ環１１０ａは、たとえば、本体部１１０における補強材１１３が設けられた位置に取り付ける。これにより、複数本の防護管を収容した状態であっても、長尺物収容袋１００を安定して吊り下げることができる。
【００２８】
また、樹脂製のシートの厚さや硬度を調整することにより、本体部１１０の開口端周辺や、底および底の周辺の形状を一定形状に保持することができる。また、柔軟性を備えた樹脂製のシートの厚さや硬度を調整することにより、不使用時などにおいて長尺物収容袋１００を損傷させることなく折り畳んで保管することができる。
【００２９】
本体部１１０の外周面には、スリット１１５が設けられている。スリット１１５は、一端が開口１１１に連続し、本体部１１０がなす筒形状における軸心方向を長手方向としている。スリット１１５の他端は、本体部１１０と補強材１１４との境界に位置している。スリット１１５の他端は、本体部１１０の軸心方向における中間部に設けられていてもよい。
【００３０】
本体部１１０には、スリット１１５を開放可能に閉塞するファスナー１１６が設けられている。ファスナー１１６は、たとえば、線ファスナーによって実現することができる。線ファスナーは、複数のエレメントと、スライダー（図４Ｂを参照）と、を備えている。エレメントは、スリット１１５と略同一の長さの一対の帯状のテープに、それぞれ複数並べて配置されている。各エレメントは、それぞれが務歯を備えており、対向するエレメントの務歯どうしを噛み合わせることによってスリット１１５を閉じることができる。
【００３１】
スライダーは、一対の帯状のテープのそれぞれに設けられたエレメントに嵌合し、テープの長さ方向に沿って往復動自在に設けられている。スライダーは、略Ｙ字形状の溝を備え、二股の溝が進行方向前方になるようにしてスライドする場合にエレメントの噛み合わせを解除してスリット１１５を開く。また、スライダーは、二股の溝が進行方向後方になるようにしてスライドする場合にエレメントの噛み合いを噛み合わせてスリット１１５を閉じる。
【００３２】
具体的には、ファスナー１１６は、たとえば、開口から底側へスライドすることによりエレメントの噛み合わせを解除してスリット１１５を開放するスライダーを備えた線ファスナーを用いることができる。このような線ファスナーを用いることにより、長尺物収容袋１００に一度にまとめて入れる防護管の本数などに応じて、スリット１１５の開き量を任意に調整することができる。
【００３３】
線ファスナーは、ロック機構を備えているものであってもよい。線ファスナーのロック機構は、たとえば、スライダーに、当該スライダーにおける把持部の角度に応じて、エレメントに引っかかったり引っかかりが解除されるツメを設けることによって実現することができる。線ファスナーのロック機構については公知の技術であるため詳細な説明を省略する。これにより、スライダーをスライドさせるために把持部を把持した場合にのみロックが解除され、線ファスナーのスライドをスライドさせてスリット１１５を開閉することができる。
【００３４】
開口保持部１２０は、本体部１１０の開口端に連続して設けられている。開口保持部１２０は、ファスナー１１６によるスリット１１５の閉塞と開放に連動して、本体部１１０の開口１１１を当該開口１１１が環形状をなす一定形状に保持する閉状態と、当該開口１１１を開放した状態で保持する開状態と、に変形可能に設けられている（図２を参照）。固定部１３０は、開口保持部１２０を閉状態で固定する（図３を参照）。
【００３５】
（開口保持部１２０の構造）
つぎに、この発明にかかる実施の形態１の長尺物収容袋１００の開口保持部１２０の構造について説明する。図２Ａおよび図２Ｂは、この発明にかかる実施の形態１の長尺物収容袋１００の開口保持部１２０の構造を示す説明図である。図２Ａおよび図２Ｂに示すように、開口保持部１２０は、閉状態において環形状をなすフレーム２００によって実現することができる。本体部１１０と開口保持部１２０（フレーム２００）とは、たとえば、本体部１１０の開口端を開口保持部１２０をなすフレーム２００に巻き付けるようにして連結されている。
【００３６】
フレーム２００は、半円形状または半円筒形状をなす第１のフレーム２０１と、四半円形状または四半円筒形状をなす一対の第２のフレーム２０２と、によって構成され、第１のフレーム２０１と第２のフレーム２０２とを組み合わせることによって環形状または筒形状をなす。開口保持部１２０は、第１のフレーム２０１と第２のフレーム２０２とが環形状または筒形状をなす場合に、閉状態となる（図２Ａを参照）。
【００３７】
第２のフレーム２０２は、第１のフレーム２０１に対して回動可能に連結されている。具体的には、たとえば、第１のフレーム２０１と第２のフレーム２０２とを、蝶番２０３を介して連結することによって、第２のフレーム２０２に対して第１のフレーム２０１を回動可能に連結することができる。この場合、第２のフレーム２０２は、第１のフレーム２０１に連結された一端側（蝶番２０３側）を支点として回動し、この回動に連動して他端が揺動する。
【００３８】
開口保持部１２０は、一方の第２のフレーム２０２の他端が、他方の第２のフレーム２０２の他端から離間する方向に回動した場合に、開状態となる（図２Ｂを参照）。開口保持部１２０は、一対のフレーム２００のそれぞれを、他方の第２のフレーム２０２の他端から離間する方向に回動した場合に、全開状態となる。
【００３９】
（固定部１３０の構造）
つぎに、固定部１３０の構造について説明する。図３Ａおよび３Ｂは、固定部１３０の構造を示す説明図である。図３Ａおよび３Ｂに示すように、固定部１３０は、ロック部材３０１と、回動支持部材３０２と、を備えている。
【００４０】
ロック部材３０１は、一対のプレート３０３と、当該一対のプレート３０３を連結する連結部３０４とからなる。一対のプレート３０３は、それぞれ、長方形状をなす板状部材であって、４つの角部のうちの１つの角部の近傍に、当該一対のプレート３０３を板厚方向に貫通する貫通孔を備えている。ロック部材３０１において、一対のプレート３０３のそれぞれに設けられた貫通孔は、一対のプレート３０３の板厚方向において対向している。
【００４１】
連結部３０４は、一対のプレート３０３における４つの角部のうちの１つの角部であって、貫通孔が設けられている角部に対して対角の位置において一対のプレート３０３を連結する。より具体的には、連結部３０４は、一対のプレート３０３における、貫通孔が設けられている角部に対して対角の位置にある角部を構成する２辺のうちの長辺を連結する。
【００４２】
ロック部材３０１は、たとえば、金属製の板材を板金加工することによって形成することができる。この場合、一対のプレート３０３および連結部３０４は一体に形成される。これにより、固定部１３０の部品点数を抑え、簡易な構成で強度の高いロック部材３０１を、容易に形成することができる。
【００４３】
回動支持部材３０２は、一対のプレート３０３に設けられた貫通孔を貫通する軸部３０５と、当該軸部３０５の貫通孔からの抜け留めをする抜け留め部３０６と、を備えている。回動支持部材３０２は、具体的には、たとえば、軸部３０５の長さが一対のプレート３０３間の距離および一対のプレート３０３の厚さの合計寸法よりも長いボルトと、当該ボルトに螺合されるナットと、によって実現することができる。この場合、ボルトの軸によって軸部３０５を実現し、ボルトの頭部およびナットによって抜け留め部３０６を実現することができる。ボルトの軸の外径は、貫通孔の内径よりも小さい。
【００４４】
あるいは、回動支持部材３０２は、一対のプレート３０３間の距離および一対のプレート３０３の厚さの合計寸法よりも長い軸を備えたカシメ用のリベットによって実現してもよい。この場合、カシメ用のリベットの軸によって軸部３０５を実現し、カシメ用のリベットの頭部およびカシメによって生じるフランジによって抜け留め部３０６を実現することができる。カシメ用のリベットの軸の外径は、貫通孔の内径よりも小さい。
【００４５】
また、あるいは、回動支持部材３０２は、長さ方向の両端に直径方向に貫通する孔を備えた軸と、当該軸の孔に挿入される割ピンと、によって実現してもよい。この場合、軸の孔および割ピンによって抜け留め部３０６を実現することができる。
【００４６】
また、あるいは、回動支持部材３０２は、一端にツバ（フランジ）を備え他端に直径方向に貫通する孔を備えた軸と、当該軸の孔に挿入される割ピンと、によって実現してもよい。この場合、ツバ（フランジ）と、軸の孔および割ピンと、によって抜け留め部３０６を実現することができる。軸の外径は、貫通孔の内径よりも小さい。
【００４７】
図４Ａおよび図４Ｂは、本体部１１０に取り付けられた状態の固定部１３０を示す説明図である。図４Ａおよび図４Ｂに示すように、固定部１３０は、一対のプレート３０３の間にシート状部材および開口保持部１２０を挟み込んだ状態で、当該一対のプレート３０３、シート状部材および開口保持部１２０を貫通するように挿入した回動支持部材３０２（ボルトなど）によって、本体部１１０に取り付けられる。
【００４８】
軸部３０５の外径が貫通孔の内径よりも小さいため、ロック部材３０１は回動支持部材３０２における軸部３０５を中心として回動することができる。具体的には、ロック部材３０１は、回動支持部材３０２における軸部３０５を中心として、開口保持部１２０を閉状態で固定する第１の位置（図４Ａを参照）と、開口保持部１２０の開閉を許容する第２の位置（図４Ｂを参照）と、の間で回動することができる。
【００４９】
固定部１３０は、ロック部材３０１が第１の位置に位置づけられている場合に、互いに相反する方向へ回動する一対の第２のフレーム２０２の他端を一対のプレート３０３によって挟み込むことによって、第２のフレーム２０２のそれぞれの回動を規制する。これにより、開口保持部１２０を閉状態で固定することができる。
【００５０】
一対のプレート３０３が、軸部３０５が設けられている角部の対角において連結部３０４によって連結されているため、本体部１１０の開口端に連結部３０４が当接した位置においてロック部材３０１の回動を規制することができる。これにより、ロック部材３０１を確実に第１の位置に位置づけることができる。
【００５１】
また、ロック部材３０１は、第１の位置に位置づけられている状態で、線ファスナーにおける開口側の端部のスライダー４００を一対のプレート３０３によって覆う。これにより、スリット１１５を閉じた状態における線ファスナーのスライダー４００に、手指や工具あるいは防護管などが意図せずに触れてしまい、スリット１１５が不用意に開いてしまうことを確実に防止できる。
【００５２】
また、ロック機構を備えた線ファスナーの場合、スリット１１５を閉じた状態における線ファスナーのスライダー４００に、手指や工具あるいは防護管などが意図せずに触れてしまったり、スライダー４００がロック位置からずれてしまうことを確実に防止することができるので、スリット１１５が不用意に開いてしまうことをより確実に防止できる。
【００５３】
また、ロック部材３０１が一対の第２のフレーム２０２のうち一方の第２のフレーム２０２にのみ取り付けられているため、ロック部材３０１が第２の位置に位置づけられている場合、固定部１３０は、図４Ｂに示すように、第２のフレーム２０２のそれぞれの回動を許容する開状態となる。
【００５４】
（長尺物収容袋１００の使用例）
つぎに、この発明にかかる実施の形態１の長尺物収容袋１００の使用例について説明する。図５Ａ、図５Ｂおよび図５Ｃは、この発明にかかる実施の形態１の長尺物収容袋１００の使用例の一例を示す説明図である。
【００５５】
長尺物収容袋１００に防護管を収容する際には、まず、図５Ａに示すように、スリット１１５を上に向けた状態で、長尺物収容袋１００を地面などに載置する。長尺物収容袋１００は、本体部１１０が可撓性のシート状部材によって形成されているため、地面などに載置した状態では、筒形状を維持することができず潰れた状態となる。
【００５６】
つぎに、固定部１３０におけるロック部材３０１を第２の位置に位置づける。そして、スライダー４００を開口端から底１１２側へ向かって移動させ、スリット１１５を開く。このとき、スライダー４００は、スリット１１５における途中で止めてもよく、スリット１１５を長手方向全域にわたって移動させスリット１１５をすべて開くようにしてもよい。スライダー４００が開口端から離間するほど、スリット１１５を大きく開くことができる。
【００５７】
つぎに、固定部１３０におけるロック部材３０１を第２の位置に位置づけ、その後、第２のフレーム２０２を各第２のフレーム２０２の他端が離間する方向に回動させる。これにより、図５Ｂに示すように、開口保持部１２０が開状態となり、開口保持部１２０が開状態となることに連動して開口保持部１２０に連続するスリット１１５が開く。作業者は、この状態で、スリット１１５に防護管５００の先端を入れ、当該先端を底へ向けて押し込む。防護管５００は、図５Ｃに示すように、先端が底１１２に当接した状態、あるいは、各防護管５００の長さ方向における大半の部分が本体部１１０の上に乗った状態になるまで押し込む。
【００５８】
つぎに、スライダー４００を底から開口端側へ向かって移動させ、スリット１１５を閉じる。そして、固定部１３０におけるロック部材３０１を第１の位置に位置づける。これにより、開口保持部１２０が閉状態で固定されるとともに、スライダー４００がロック部材３０１によってカバーされる。この時点で、防護管５００のすべてが長尺物収容袋１００内に収まっていない場合は、開口保持部１２０を上にして長尺物収容袋１００を起立させる。あるいは、開口保持部１２０側が底１１２側よりも高くなるように、長尺物収容袋１００を傾ける。これにより、防護管５００が自重により底１１２へ移動するため、防護管５００を長尺物収容袋１００の底１１２に収めることができる。
【００５９】
上述した実施の形態１の長尺物収容袋１００においては、開口１１１から底１１２側へスライドすることによりエレメントの噛み合わせを解除してスリット１１５を開放するスライダー４００を備えた線ファスナーをファスナー１１６として用いた長尺物収容袋１００について説明したが、線ファスナーの態様はこれに限るものではない。ファスナー１１６は、底から開口側へスライドすることによりエレメントの噛み合わせを解除してスリット１１５を開放するスライダー４００を備えた線ファスナーによって実現してもよい。この場合、線ファスナーは、スライダー４００が開口端に位置している状態で、開口１１１側の端部の留め具が外れて一対のテープを完全に分離できるオープンファスナーを用いる。これにより、スリット１１５を長さ方向の全域にわたって開くことができる。
【００６０】
また、ファスナー１１６は、線ファスナーに代えて点ファスナーによって実現してもよい。点ファスナーは、対をなすリベットを備えている。対をなすリベットのうち、一方のリベットは突起を備え、他方のリベットは弾性変形することにより当該突起の挿抜を受け入れる凹部を備えている。点ファスナーは、一方のリベットが備える突起を、他方のリベットが備える凹部に嵌め込むことによって、スリット１１５を閉じることができる。点ファスナーは、具体的には、たとえば、ドットボタン、スナップファスナーなどによって実現することができる。
【００６１】
以上説明したように、この発明にかかる実施の形態１の長尺物収容袋１００は、可撓性のシート状部材によって形成され、長さ方向の一端に開口を備え他端に底を備えた有底の筒形状をなし、外周面に、一端が開口に連続し当該筒形状における軸心方向を長手方向とするスリット１１５と、当該スリット１１５を開放可能に閉塞するファスナー１１６と、が設けられた本体部１１０と、ファスナー１１６によるスリット１１５の閉塞と開放に連動して、本体部１１０の開口１１１を当該開口が環形状をなす一定形状に保持する閉状態と当該開口１１を開放した状態で保持する開状態とに変形可能な開口保持部１２０と、開口保持部１２０を閉状態で固定する固定部１３０と、を備えたことを特徴としている。
【００６２】
この発明にかかる実施の形態の長尺物収容袋１００によれば、防護管５００を収容する際は、ファスナー１１６によりスリット１１５を開放し、開口保持部１２０を開状態にすることによって、開口１１１および開口１１１に連続するスリット１１５を拡げた状態を保持することができる。これにより、防護管袋を支える作業者を必要とすることなく、１名の作業者であっても防護管５００を長尺物収容袋１００に容易に入れることができる。
【００６３】
一般的に、防護管５００は、１０本を一まとめに束ねた状態で長さ方向における両端近傍をテープなどを用いて固定して保管されている。また、電線への取り付けに際しては、１本ずつ取り出す。従来の防護管袋を用いた場合、防護管５００を防護管袋に入れた状態ではテープを切断することができないため、防護管袋に入れる前に両端近傍に設けられたテープを切断しておかなければならなかった。そして、テープを切断すると防護管５００がばらけて拡がってしまうため、複数本の防護管５００をまとめて防護管袋に入れようとしても、従来の防護管袋を用いた場合、一度に入れられる本数は保管時の本数よりも少なくなってしまい、作業効率が低くなってしまっていた。
【００６４】
これに対し、この発明にかかる実施の形態の長尺物収容袋１００によれば、複数本の防護管５００をテープなどによって束ねた状態のまままとめて長尺物収容袋１００に入れ、その後、長尺物収容袋１００に入れた状態でテープを切断し、ファスナー１１６によってスリット１１５を閉じることができる。これにより、１名の作業者であっても容易に複数本の防護管５００をまとめて長尺物収容袋１００に入れることができる。
【００６５】
また、長尺物収容袋１００に防護管５００を収容した後に固定部１３０によって開口保持部１２０を閉状態で固定することにより、長尺物収容袋１００に収容した防護管５００が運搬時などにばらけてしまうことを確実に防止することができる。また、固定部１３０によって開口保持部１２０を閉状態で固定することにより、防護管５００の取り付け作業に際して長尺物収容袋１００を取り付け対象箇所の近傍に吊している際に、防護管５００が空中でばらけてしまうことを確実に防止することができる。これにより、作業を安定しておこなうことができる。
【００６６】
また、たとえば、長尺物収容袋１００内の防護管５００の本数が少なくなった場合に開口保持部１２０を開状態にすることにより、長尺物収容袋１００内の防護管５００を取り出しやすくすることができる。これにより、作業性の向上を図ることができる。
【００６７】
また、本体部１１０が可撓性のシート状部材によって形成されており、加えられた外力に応じて変形させることができるため、防護管５００を収容した状態において、運搬用のトラックなどに安定して縛りつけることができ、運搬時などのような、作業時以外の状況での防護管５００の取り扱いの容易化を図ることができる。
【００６８】
また、本体部１１０が可撓性のシート状部材によって形成されており、加えられた外力に応じて変形させることができるため、掴みやすく、取り扱いの容易化を図ることができる。これにより、たとえば、電柱や高所作業車上での防護管５００の取付作業の途中で電話線などをかわす必要が生じた場合に、本体部１１０のどの位置でも容易かつ確実に掴んで、長尺物収容袋１００の位置を移動させることができるので、電柱や高所作業車上での取りまわしがしやすくなる。
【００６９】
また、本体部１１０が可撓性のシート状部材によって形成されており、加えられた外力に応じて変形させることができるため、長尺物収容袋１００を使用しないときには、畳んで保管することができる。これにより、長尺物収容袋１００の保管にかかるスペースを小さくすることができる。
【００７０】
このように、この発明にかかる実施の形態の長尺物収容袋１００によれば、取付作業時以外の状況での防護管５００の取り扱いの容易化、および、取付作業時における防護管５００の取り扱いの容易化、の両立を図ることができる。
【００７１】
この発明にかかる実施の形態の長尺物収容袋１００によれば、防護管５００を長尺物収容袋１００に収容する作業において作業時間の短縮を図るとともに、作業にかかる労力の軽減を図ることができる。防護管５００を長尺物収容袋１００に収容する作業は頻度が多く、また、１日で１００本以上の防護管５００を取り付ける作業もあるため、作業時間の大幅な短縮を図るとともに、作業にかかる労力の大幅な軽減を図ることができる。
【００７２】
また、この発明にかかる実施の形態１の長尺物収容袋１００は、ファスナー１１６が、スリット１１５を間にして対向配置されて互いに噛み合う複数のエレメントと、開口から底側へスライドすることによりエレメントの噛み合わせを解除してスリット１１５を開放するスライダー４００と、を備えた線ファスナーであることを特徴としている。
【００７３】
この発明にかかる実施の形態１の長尺物収容袋１００によれば、ファスナー１１６として線ファスナーを用いることにより、スリット１１５を容易に繰り返し開閉することができる。これにより、作業性の向上を図ることができる。
【００７４】
また、ファスナー１１６として線ファスナーを用いることにより、長手方向の全域にわたってスリット１１５を確実に閉じることができる。これにより、作業中にスリット１１５の一部が開いて防護管５００が空中でばらけてしまうことを確実に防止することができる。これにより、作業を安定しておこなうことができる。
【００７５】
また、スライダー４００が開口１１１から底１１２側へスライドする際にスリット１１５を開放する線ファスナーを用いることにより、開口１１１に連続するスリット１１５を容易かつ確実に開閉することができる。また、開口１１１に連続するスリット１１５を開放する範囲を任意に調整することができる。これにより、たとえば、長尺物収容袋１００に一度に入れる防護管５００の本数に応じてスリット１１５を開放する範囲を調整することができ、作業時における防護管５００の取り扱いの容易化を図ることができる。
【００７６】
また、この発明にかかる実施の形態１の長尺物収容袋１００においては、ファスナー１１６が、スリット１１５を間にして対向配置されて互いに噛み合う複数のエレメントと、底から開口側へスライドすることによりエレメントの噛み合わせを解除してスリット１１５を開放するスライダー４００と、を備えた線ファスナーであってもよい。
【００７７】
このような長尺物収容袋１００によれば、スライダー４００が底から開口側へスライドする際にスリット１１５を開放する線ファスナーを用いることにより、たとえば、電柱や高所作業車に長尺物収容袋１００を吊り下げた状態で、スリット１１５を下側から開けることができる。これにより、防護管５００が通る程度にスリット１１５を開けることによって、電柱や高所作業車に吊り下げた状態の長尺物収容袋１００に対して、下方から防護管５００を入れることができる。
【００７８】
この場合、防護管５００は、自重によって底に当接するように付勢されるため、スリット１１５を開けても防護管５００が長尺物収容袋１００から飛び出してしまうことはない。これにより、作業を安定しておこなうことができる。
【００７９】
また、この発明にかかる実施の形態１の長尺物収容袋１００においては、ファスナー１１６として点ファスナーを用いてもよい。このような長尺物収容袋１００によれば、点ファスナーを用いることにより、スリット１１５における任意の位置を開くことができる。また、点ファスナーは、対をなすリベットが互いに離反する方向に外力を加えられた場合に開くため、長尺物収容袋１００に収容した防護管５００によって長尺物収容袋１００に内側から外力が加えられた場合にも、取付作業中に長尺物収容袋１００に対して外側から外力が加えられた場合も、長尺物収容袋１００から飛び出してしまうことを確実に防止できる。
【００８０】
＜実施の形態２＞
（長尺物収容袋１００の構成）
つぎに、この発明にかかる実施の形態２の長尺物収容袋の構成について説明する。上述した実施の形態１と同一部分は同一符号で示し、説明を省略する。図６Ａおよび図６Ｂは、この発明にかかる実施の形態２の長尺物収容袋の構成を示す説明図である。図７は、この発明にかかる実施の形態２の長尺物収容袋の一部を、一部を透過して示す説明図である。
【００８１】
図６Ａおよび図６Ｂに示すように、この発明にかかる実施の形態２の長尺物収容袋６００は、本体部６１０と、開口保持部６２０と、固定部６３０と、を備えている。図６Ａおよび図６Ｂにおいては、長尺物収容袋６００のうち、開口保持部６２０および開口保持部６２０の周辺を示している。
【００８２】
長尺物収容袋６００は、本体部６１０と開口保持部６２０とが、分離可能に連結されている。具体的に、本体部６１０と開口保持部６２０とは、別体で構成され、オープンタイプの線ファスナー６０１によって連結されている。これにより、線ファスナー６０１を全開することにより、本体部６１０と開口保持部６２０とを分離することができる。
【００８３】
本体部６１０のスリット１１５は、一端が、本体部６１０と開口保持部６２０との境界位置、すなわち、線ファスナー６０１によって開口保持部６２０と分離される位置に連続している。また、本体部６１０のスリット１１５は、他端が、本体部６１０と補強材１１４との境界に位置していることが好ましい。
【００８４】
本体部６１０のスリット１１５は、たとえば、開口１１１から底側へスライドすることによりエレメントの噛み合わせを解除してスリット１１５を開放するスライダー４００を備えたファスナー（線ファスナー）１１６によって開放可能に閉じることができる。実施の形態２の長尺物収容袋６００において、本体部６１０のスリット１１５を閉じる線ファスナーは、止めファスナーであってもよくオープンファスナーであってもよい。
【００８５】
開口保持部６２０は、図７に示すように、筒形状をなすフレーム２００と、フレーム２００を覆うカバー６２１と、を備えている。フレーム２００は、上述した実施の形態１と同様に、半円筒形状をなす第１のフレーム２０１と、四半円筒形状をなす一対の第２のフレーム２０２とを備え、第１のフレーム２０１と第２のフレーム２０２とを組み合わせることによって円筒形状をなすように構成することができる。
【００８６】
第１のフレーム２０１および第２のフレーム２０２は、たとえば、ＦＲＰ（Ｆｉｂｅｒ−Ｒｅｉｎｆｏｒｃｅｄ  Ｐｌａｓｔｉｃｓ）などのような、一定の形状を保持することができる。第１のフレーム２０１および第２のフレーム２０２は、さらに、絶縁性を備えた材料を用いて形成することが好ましい。
【００８７】
第１のフレーム２０１と各第２のフレーム２０２とは、蝶番２０３を介して回動可能に連結されている。第１のフレーム２０１に対して、蝶番２０３を支点にして第２のフレーム２０２を回動させることにより、第１のフレーム２０１および第２のフレーム２０２によって形成される円筒を開くことができる。
【００８８】
カバー６２１は、両端が閉じられたチューブ形状をなし、内側にフレーム２００を収容している。本体部６１０と開口保持部６２０とを連結する線ファスナー６０１を構成する、複数のエレメントが設けられた一対のテープのうちの一方が、カバー６２１における本体部６１０側の端部に設けられている。
【００８９】
カバー６２１は、たとえば、上述した実施の形態１と同様に、ＰＶＣやポリウレタンなどの樹脂製のシートによって実現することができる。また、カバー６２１は、絶縁性を備えた材料を用いて形成されていることが好ましい。カバー６２１を形成する樹脂製のシートの厚さや硬度を調整することにより、開口保持部６２０の形状を一定形状に保持することができる。
【００９０】
本体部６１０における開口保持部６２０側の端部には、カバー６２１における本体部６１０側の端部に設けられたテープと対をなすテープが設けられている。線ファスナー６０１のスライダー６２２は、開口保持部６２０側のテープに設けられていてもよく、本体部６１０側のテープに設けられていてもよい。
【００９１】
固定部６３０は、開口保持部６２０に連結されており、開口保持部６２０とともに本体部６１０から取り外すことができる。固定部６３０におけるロック部材３０１は、第１の位置において、本体部６１０における開口保持部６２０側の端部に位置するスライダー４００を覆う形状とされている。
【００９２】
具体的には、一対のプレート３０３にアーム６３１を設けることにより、第１の位置において、本体部６１０における開口保持部６２０側の端部に位置するスライダー４００を覆うことができる。また、ロック部材３０１は、第１の位置において、本体部６１０と開口保持部６２０とを連結する線ファスナー６０１のスライダー６２２を覆う。
【００９３】
（長尺物収容袋６００の使用例）
つぎに、この発明にかかる実施の形態２の長尺物収容袋６００の使用例について説明する。実施の形態２の長尺物収容袋６００に防護管５００を収容する際には、まず、スライダー６２２をスライドさせて、本体部６１０から開口保持部６２０を取り外し、スリット１１５を上に向けた状態で、長尺物収容袋６００を地面などに載置する。長尺物収容袋６００は、本体部６１０が可撓性のシート状部材によって形成されているため、地面などに載置した状態では、筒形状を維持することができず潰れた状態となる。
【００９４】
つぎに、スリット１１５に設けられたファスナー（線ファスナー）１１６のスライダー４００を開口端から底側へ向かって移動させ、スリット１１５を開く。本体部６１０のスリット１１５は、線ファスナーによって閉じられているため、スライダー４００をスライドさせるだけで、本体部６１０のスリット１１５を容易に全開することができる。
【００９５】
以上説明したように、この発明にかかる実施の形態２の長尺物収容袋６００は、本体部６１０と開口保持部６２０とは分離可能に連結されていることを特徴としている。
【００９６】
この発明にかかる実施の形態の長尺物収容袋６００によれば、本体部６１０と開口保持部６２０とを分離した状態でスリット１１５を開放することにより、開口保持部６２０の構造に左右されることなく、本体部６１０を大きく開放することができる。これにより、１名の作業者であっても容易に複数本の防護管５００をまとめて長尺物収容袋６００に入れることができる。
【００９７】
また、この発明にかかる実施の形態２の長尺物収容袋６００においては、本体部６１０に、底および軸心方向において当該底から所定範囲を一定形状に保持する補強部材１１４を設け、当該補強部材１１４が設けられた底部と、可撓性のシート状部材によって形成された筒形状をなす筒状部とを分離可能に連結し、スリット１１５が、筒状部の外周面において軸心方向の両端に連続するようにしてもよい。
【００９８】
このような長尺物収容袋６００によれば、スリット１１５が筒状部の外周面において軸心方向の両端に連続しているため、開口保持部６２０と分離した本体部６１０における底部を取り外して筒状部のみとすることにより、筒状部をシート状に拡げることができる。これにより、シート状に拡げた筒状部に複数本の防護管５００を乗せてから、当該複数本の防護管５００を巻き込んだ状態で当該筒状部が筒形状をなすようにスリット１１５を閉じ、その後、底部と開口保持部６２０とを連結することによって、１名の作業者であっても容易に複数本の防護管５００をまとめて長尺物収容袋６００に入れることができる。
【００９９】
＜実施の形態３＞
（長尺物収容袋の構成）
つぎに、この発明にかかる実施の形態３の長尺物収容袋の構成について説明する。上述した実施の形態１、２と同一部分は同一符号で示し、説明を省略する。図８および図９は、この発明にかかる実施の形態３の長尺物収容袋の構成を示す説明図である。図８および図９においては、この発明にかかる実施の形態３の長尺物収容袋の一部を示している。
【０１００】
図８および図９に示すように、この発明にかかる実施の形態３の長尺物収容袋８００は、本体部８１０と開口保持部８２０と底部８３０とを備えている。本体部８１０は、可撓性のシート状部材によって形成されている。本体部８１０は、両端が開放された筒形状をなす。本体部８１０は、外周面に軸心方向の両端に連続するスリット１１５を備えている。本体部８１０には、スリット１１５を開放可能に閉塞するファスナー１１６が設けられている。
【０１０１】
本体部８１０に設けるファスナー（線ファスナー）１１６は、オープンタイプの線ファスナーを用いる。あるいは、本体部８１０に設けるファスナー１１６は、スリット１１５に沿って配置された複数の点ファスナーであってもよい。これにより、本体部８１０は、ファスナー１１６によりスリット１１５を全開することにより、１枚のシート状に変形することができる。
【０１０２】
開口保持部８２０は、環形状または筒形状をなすフレーム２００と、フレーム２００を覆うカバー６２１と、を備えている。カバー６２１における本体部８１０側の端部と、本体部８１０における開口保持部８２０側の端部と、の間には線ファスナー６０１が設けられている。
【０１０３】
具体的に、線ファスナー６０１を構成する、複数のエレメントが設けられた一対のテープのうちの一方がカバー６２１における本体部８１０側の端部に設けられており、当該一対のテープのうちの他方が本体部８１０における開口保持部８２０側の端部に設けられている。線ファスナー６０１のスライダー（図示を省略する）は、開口保持部８２０側のテープに設けられていてもよく、本体部８１０側のテープに設けられていてもよい。
【０１０４】
底部８３０は、長さ方向の一端に開口を備え他端に底を備えた有底の筒形状をなす。底部８３０における本体部８１０側の端部と、本体部８１０における底部８３０側の端部と、の間には線ファスナー９０１が設けられている。具体的に、線ファスナー９０１を構成する、複数のエレメントが設けられた一対のテープのうちの一方が底部８３０における本体部８１０側の端部に設けられており、当該一対のテープのうちの他方が本体部８１０における底部８３０側の端部に設けられている。線ファスナー９０１のスライダー（図示を省略する）は、底部８３０側のテープに設けられていてもよく、本体部８１０側のテープに設けられていてもよい。
【０１０５】
（長尺物収容袋８００の使用例）
つぎに、この発明にかかる実施の形態３の長尺物収容袋８００の使用例について説明する。実施の形態３の長尺物収容袋８００に防護管５００を収容する際には、まず、線ファスナー６０１、９０１のスライダーをスライドさせて、本体部８１０から開口保持部８２０および底部８３０を取り外す。
【０１０６】
つぎに、スリット１１５に設けられたファスナー（線ファスナー）１１６のスライダー４００を開口端から底１１２側へ向かって移動させ、スリット１１５を開く。ファスナー（線ファスナー）１１６はオープンタイプの線ファスナーであるため、図１０に示すように、スリット１１５を全開することができる。図１０は、本体部８１０のスリット１１５を全開した状態の長尺物収容袋８００を示す説明図である。
【０１０７】
つぎに、シート状に変形した本体部８１０を、筒形状にした場合に内側となる面を上に向けた状態で地面などに載置する。そして、シート状に変形した本体部８１０の上に、防護管５００を載置する。本体部８１０がシート状に変形しているため、１名の作業者であっても容易に複数本の防護管５００を、シート状に変形した本体部８１０に載置することができる。
【０１０８】
そして、シート状に変形した本体部８１０に載置された防護管５００をくるむようにして、ファスナー（線ファスナー）１１６によりスリット１１５を閉じる。これにより、本体部８１０が、内側に防護管５００を収容した状態で、筒形状に変形する。その後、筒形状の本体部８１０に、底部８３０と開口保持部８２０とを連結する。これにより、防護管５００を長尺物収容袋８００に収めることができる。
【０１０９】
実施の形態３の長尺物収容袋８００によれば、本体部８１０をシート状に変形させることができるので、１名の作業者であっても容易に複数本の防護管５００をまとめて長尺物収容袋８００に入れることができる。
【０１１０】
以上説明したように、この発明にかかる実施の形態３の長尺物収容袋８００は、可撓性のシート状部材によって形成され、外周面に軸心方向の両端に連続するスリット１１５を備えた筒形状をなす本体部８１０と、本体部８１０に設けられてスリット１１５を開放可能に閉塞するファスナー１１６と、環または筒形状をなし、本体部８１０における軸心方向の一端に取り外し可能に連結される開口保持部８２０と、長さ方向の一端に開口を備え他端に底を備えた有底の筒形状をなし、本体部８１０における軸心方向の他端に取り外し可能に連結される底部８３０と、を備えたことを特徴としている。
【０１１１】
この発明にかかる実施の形態３の長尺物収容袋８００によれば、スリット１１５が筒状部の外周面において軸心方向の両端に連続しているため、開口保持部８２０や底部８３０と分離した本体部８１０をシート状に拡げることができる。これにより、シート状に拡げた本体部８１０に複数本の防護管５００を載せてから、当該複数本の防護管５００を巻き込んだ状態で当該本体部８１０が筒形状をなすようにスリット１１５を閉じ、その後、開口保持部８２０と底部８３０とを連結することによって、１名の作業者であっても容易に複数本の防護管５００をまとめて長尺物収容袋８００に入れることができる。そして、これにより、取付作業時以外の状況での防護管５００の取り扱いの容易化、および、取付作業時における防護管５００の取り扱いの容易化、の両立を図ることができる。
【産業上の利用可能性】
【０１１２】
以上のように、この発明にかかる長尺物収容袋は、長尺物を収容する長尺物収容袋に有用であり、特に、複数本をまとめて取り扱うことが多い防護管などの長尺物を収容する長尺物収容袋に適している。
【符号の説明】
【０１１３】
１００、６００、８００  長尺物収容袋
１１０、６１０、８１０  本体部
１１５  スリット
１１６  ファスナー
１２０、６２０、８２０  開口保持部
１３０、６３０  固定部
２００  フレーム
２０１  第１のフレーム
２０２  第２のフレーム
５００  防護管
８３０  底部
【図１】
2019172407.tif 000003
【図２Ａ】
2019172407.tif 000004
【図２Ｂ】
2019172407.tif 000005
【図３Ａ】
2019172407.tif 000006
【図３Ｂ】
2019172407.tif 000007
【図４Ａ】
2019172407.tif 000008
【図４Ｂ】
2019172407.tif 000009
【図５Ａ】
2019172407.tif 000010
【図５Ｂ】
2019172407.tif 000011
【図５Ｃ】
2019172407.tif 000012
【図６Ａ】
2019172407.tif 000013
【図６Ｂ】
2019172407.tif 000014
【図７】
2019172407.tif 000015
【図８】
2019172407.tif 000016
【図９】
2019172407.tif 000017
【図１０】
2019172407.tif 000018